(57)【要約】【課題】  互いに柱省略コーナ部を有して並設される下階建物ユニットの梁を補強できるとともに、その下階建物ユニットの上面に上階建物ユニットを容易に設置できて施工時間の短縮を図れる補強梁を提供する。【解決手段】  柱１０等からなる略直方体状の骨組み１３を有する複数の下階建物ユニット２がそれぞれ柱省略コーナ部Ａを有し、柱省略コーナ部Ａ同士を突き合わせて構成されたユニット式建物１において、隣合う下階建物ユニット２，２間に補強梁２０を架け渡す。補強梁２０は、下階建物ユニット２，２の同一方向に延びるそれぞれの天井梁１１の上面を覆い、かつ水平方向に延びて形成される板状の梁本体２１を備える。梁本体２１は、下階建物ユニット２と上階建物ユニット４とに挟持され、各ユニット２，４の柱１０近傍と柱省略コーナ部Ａ近傍とに設けた接合部Ｂで接合される。【選択図】  図１
2005139623.tif 000002
【特許請求の範囲】
【請求項１】
複数本の柱と、これらの柱の上端間同士を結合する短辺梁及び長辺梁からなる天井梁と、前記柱の下端間同士を結合する短辺梁及び長辺梁からなる床梁とで形成された略直方体状の骨組みを有する複数の下階建物ユニットがそれぞれ柱省略コーナ部を有するとともに、それらの柱省略コーナ部同士を突き合わせて建てられたユニット式建物の、隣合う前記下階建物ユニット間に架け渡される補強梁であって、
前記隣合う下階建物ユニットにおける同一方向に延びるそれぞれの前記天井梁の上面を覆うとともに水平方向に延びて形成される板状の梁本体を備え、この梁本体は、前記隣合う下階建物ユニットと当該下階建物ユニットの上方に配置される上階建物ユニットとに挟持され、かつ、前記隣合う下階建物ユニットの柱近傍と柱省略コーナ部近傍とに形成された接合部で、それぞれ前記下階建物ユニット及び上階建物ユニットに接合されることを特徴とする補強梁。
【請求項２】
請求項１に記載の補強梁において、
前記隣合う下階建物ユニット及び上階建物ユニットは、それぞれ２個がそれぞれの長辺梁同士が平行となるように並んで配置され、かつ、それぞれ１個の下階建物ユニット及び上階建物ユニットが、それぞれの長辺梁が前記２個の下階建物ユニット及び上階建物ユニットの短辺梁に対向するように配置され、これらの３個の下階建物ユニットを突き合わせた箇所に前記柱省略コーナ部が形成されるとともに、前記１個の下階建物ユニットの長辺梁と前記２個の下階建物ユニットの短辺梁との上面に水平方向に延びて形成される板状の梁本体を備えていることを特徴とする補強梁。
【請求項３】
請求項１または請求項２に記載の補強梁において、
前記梁本体の下面には、前記隣合う下階建物ユニットの天井梁間に延在する下部補強部が設けられることを特徴とする補強梁。
【請求項４】
請求項１に記載の補強梁において、
前記下部補強部は、その下部に下部補強片部を備え、この下部補強片部と前記梁本体とは前記隣合う下階建物ユニットの天井梁を上下で挟持するとともに締結具で締結固定されていることを特徴とする補強梁。
【請求項５】
請求項１ないし請求項４のいずれかに記載の補強梁において、
前記梁本体は、前記隣合う下階建物ユニットの天井梁に沿って平面略十字に形成されていることを特徴とする補強梁。
【請求項６】
複数本の柱と、これらの柱の上端間同士を結合する短辺梁及び長辺梁からなる天井梁と、前記柱の下端間同士を結合する短辺梁及び長辺梁からなる床梁とで形成された略直方体状の骨組みを有する複数の下階建物ユニットがそれぞれ柱省略コーナ部を有するとともに、それらの柱省略コーナ部同士を突き合わせて建てられた下階部と、この下階部の上に配置されるとともに、前記骨組みを有する複数の上階建物ユニットを有する上階部と、前記隣合う下階建物ユニットと前記隣合う上階建物ユニットとに挟持される補強梁とを備えたユニット式建物であって、
前記補強梁は、前記隣合う下階建物ユニットにおける同一方向に延びるそれぞれの前記天井梁の上面を覆うとともに水平方向に延びて形成される板状の梁本体を備え、この梁本体と、前記下階建物ユニットと、前記上階建物ユニットとは、これらの下階建物ユニットおよび上階建物ユニットの柱近傍と柱省略コーナ部近傍とに設けられた接合部でそれぞれ接合されていることを特徴とするユニット式建物。
【請求項７】
請求項６に記載のユニット式建物において、
前記上階建物ユニットは断面コ字型の床梁を備え、この床梁の開口部には補強材が設けられていることを特徴とするユニット式建物。
【請求項８】
請求項６または請求項７に記載のユニット式建物において、
前記下階部の柱省略コーナ部には各下階建物ユニット毎の天井梁先端に上下に延びる接合片が設けられ、前記補強梁の中央部には前記接合片に重合する中央補強片が設けられ、この中央補強片と接合片とが互いに接合していることを特徴とするユニット式建物。
【発明の詳細な説明】
【技術分野】
【０００１】
本発明は、補強梁およびその補強梁を備えたユニット式建物に関する。
【背景技術】
【０００２】
建物ユニットが、複数本の柱と、これらの柱の上端間同士を結合する複数本の天井梁、および下端間同士を結合する複数本の床梁を含み形成された骨組みを有して形成され、このような建物ユニットを複数組み合わせて建てられるユニット式建物が知られている。
このようなユニット式建物のうち、４個の前記建物ユニットそれぞれに定めた１箇所の柱省略コーナ部を、柱省略コーナ部にて突き合わせ配置して大空間を形成するユニット式建物があり、この場合、隣合う建物ユニットの間に補強梁を設けて、柱省略による梁の補強が行われている。すなわち、このユニット式建物の補強梁としては、その補強梁の中央部が柱省略コーナ部と接続されるとともに、補強梁の上部が上階建物ユニットの床梁の高さ位置まで延在する構造となっている（例えば、特許文献１）。
【０００３】
【特許文献１】特許３２６０２６６号公報
【発明の開示】
【発明が解決しようとする課題】
【０００４】
しかし、前記特許文献では、複数の下階建物ユニットの間に補強梁が設置された後、上階建物ユニットが下階建物ユニットの上に配置されるが、補強梁が上方に延在し上階建物ユニットの床梁の高さ位置に達する構造であるため、上階建物ユニットの設置作業では、補強梁の上方に延在する部位に上階建物ユニットの、例えば床梁や柱が干渉し、その部位が折れ曲がったりするおそれがある。そのため、上階建物ユニットの設置作業に際し、上階建物ユニットと補強梁とが干渉しないように細心の注意を払わなくてはならず、設置作業の多くの時間がかかり施工時間が長くなるという問題が生じる。
【０００５】
本発明の目的は、互いに柱省略コーナ部を有して並設される下階建物ユニットの梁を補強できるとともに、その下階建物ユニットの上面に上階建物ユニットを容易に設置できて施工時間の短縮を図れる補強梁を提供することである。
【課題を解決するための手段】
【０００６】
本発明の請求項１の補強梁２０は、図面を参照して説明すると、図１に示すように、複数本の柱１０と、これらの柱１０の上端間同士を結合する短辺梁１１Ｂ及び長辺梁１１Ａからなる天井梁１１と、前記柱１０の下端間同士を結合する短辺梁１２Ｂ及び長辺梁１２Ａからなる床梁１２とで形成された略直方体状の骨組み１３を有する複数の下階建物ユニット２がそれぞれ柱省略コーナ部Ａを有するとともに、それらの柱省略コーナ部Ａ同士を突き合わせて建てられたユニット式建物１の、隣合う前記下階建物ユニット２，２間に架け渡される補強梁２０であって、前記隣合う下階建物ユニット２，２における同一方向に延びるそれぞれの前記天井梁１１の上面を覆うとともに水平方向に延びて形成される板状の梁本体２１を備え、この梁本体２１は、前記隣合う下階建物ユニット２，２と当該下階建物ユニット２，２の上方に配置される上階建物ユニット４，４とに挟持され、かつ、前記隣合う下階建物ユニット２，２の柱１０近傍と柱省略コーナ部Ａ近傍とに形成された接合部Ｂで、それぞれ前記下階建物ユニット２，２及び上階建物ユニット４，４に接合されることを特徴とするものである。
【０００７】
この発明によれば、隣合う下階建物ユニットの天井梁の上面に梁本体を備えた補強梁が設けられているので、互いに柱省略コーナ部を有して並設される下階建物ユニットの天井梁を補強でき、柱なしの大空間の居室を構成することができる。
また、補強梁の梁本体は板状となっているので、補強梁を下階建物ユニットの上面に設けた後、その上に上階建物ユニットを設置する際、上階建物ユニットの例えば床梁や柱が補強梁に干渉するおそれがなくなる。その結果、上階建物ユニットを容易に設置できて施工時間の短縮を図ることができる。
【０００８】
本発明の請求項２の補強梁５０は、図１１に示すように、請求項１に記載の補強梁において、前記隣合う下階建物ユニット２及び上階建物ユニット４は、それぞれ２個がそれぞれの長辺梁１１Ａ同士が平行となるように並んで配置され、かつ、それぞれ１個の下階建物ユニット２Ａ及び上階建物ユニット４Ａが、それぞれの長辺梁１１Ａが前記２個の下階建物ユニット２，２及び上階建物ユニット４の短辺梁１１Ｂに対向するように配置され、これらの３個の下階建物ユニット２，２，２Ａを突き合わせた箇所に前記柱省略コーナ部Ａが形成されるとともに、前記１個の下階建物ユニット２Ａの長辺梁１１Ａと前記２個の下階建物ユニット２，２の短辺梁１１Ｂとの上面に水平方向に延びて形成される板状の梁本体５１を備えていることを特徴とするものである。
【０００９】
この発明では、長辺梁が同じ向きの２個の下階建物ユニットと、これらの下階建物ユニットと長辺梁が異なる向きの１個の下階建物ユニットとで、大空間を有するユニット式建物が構成される。そのため、建設敷地の形状が、例えば長辺梁が同じ向きの下階建物ユニットを２個ずつ並設して建てることができないような場合でも、大空間を有する建物を敷地に対応させることができ、そのような建物でも、補強梁で３個の下階建物ユニットの天井梁を補強することができるとともに、それらの下階建物ユニットの上面に上階建物ユニットを容易に設置できて施工時間の短縮を図ることができる。
【００１０】
本発明の請求項３の補強梁３０は、図６に示すように、請求項１または請求項２に記載の補強梁において、前記梁本体３１の下面には、隣合う下階建物ユニット２，２の天井梁１１間に延在する下部補強部３２が設けられることを特徴とするものである。
【００１１】
この発明では、補強梁の下面に下部補強部が設けられているので、補強梁の強度が大きくなり、その強度の大きな補強梁で隣合う下階建物ユニット同士が補強されるので、結果的に、互いに柱省略コーナ部を有して並設される下階建物ユニットの梁をより強固に補強できる。
【００１２】
本発明の請求項４の補強梁３０は、図８に示すように、請求項１に記載の補強梁において、前記下部補強部３２は、その下部に下部補強片部３３を備え、この下部補強片部３３と前記梁本体３１とは前記隣合う下階建物ユニット２の天井梁１１を上下で挟持するとともに締結具３５，３６で締結固定されていることを特徴とするものである。
【００１３】
この発明では、補強梁の下部補強部に設けられた下部補強片部と、補強梁の梁本体との間で、隣合う下階建物ユニットの天井梁が上下で挟持されるので、補強梁と隣合う下階建物ユニットの天井梁とが一体的に結合される結果、互いに柱省略コーナ部を有して並設される下階建物ユニットの梁をより強固に補強できる。
【００１４】
本発明の請求項５の補強梁６０は、図１２に示すように、請求項１ないし請求項４のいずれかに記載の補強梁において、前記梁本体６１は、隣合う下階建物ユニット２の天井梁１１に沿って平面略十字に形成されていることを特徴とするものである。
【００１５】
この発明によれば、補強梁が平面略十字に形成されているので、隣合う下階建物ユニットの天井梁の一方方向のみならず、その天井梁と直交する天井梁同士も補強でき、互いに柱省略コーナ部を有して並設される下階建物ユニットの梁をより強固に補強できる。
【００１６】
本発明の請求項６のユニット式建物は、図１に示すように、複数本の柱１０と、これらの柱１０の上端間同士を結合する短辺梁１１Ｂ及び長辺梁１１Ａからなる天井梁１１と、前記柱１０の下端間同士を結合する短辺梁１２Ｂ及び長辺梁１２Ａからなる床梁１２とで形成された略直方体状の骨組み１３を有する複数の下階建物ユニット２がそれぞれ柱省略コーナ部Ａを有するとともに、それらの柱省略コーナ部Ａ同士を突き合わせて建てられた下階部３と、この下階部３の上に配置されるとともに、前記骨組み１３を有する複数の上階建物ユニット４を有する上階部５と、前記隣合う下階建物ユニット２，２と前記隣合う上階建物ユニット４，４とに挟持される補強梁２０とを備えたユニット式建物１であって、前記補強梁２０は、前記隣合う下階建物ユニット２，２における同一方向に延びるそれぞれの前記天井梁１１の上面を覆うとともに水平方向に延びて形成される板状の梁本体２１を備え、この梁本体２１と、前記下階建物ユニット２と、前記上階建物ユニット４とは、これらの下階建物ユニット２および上階建物ユニット４の柱１０近傍と柱省略コーナ部Ａ近傍とに設けられた接合部Ｂでそれぞれ接合されていることを特徴とするものである。
【００１７】
この発明によれば、隣合う下階建物ユニットの天井梁の上面に梁本体を備えた補強梁が設けられているので、互いに柱省略コーナ部を有して並設される下階建物ユニットの梁を補強できる。また、補強梁の梁本体は板状となっているので、補強梁を下階建物ユニットの上面に設けた後、その上に上階建物ユニットを設置する際、上階建物ユニットの例えば床梁や柱が補強梁に干渉するおそれもなく、その結果、上階建物ユニットを容易に設置できて施工時間の短縮を図ることができる。さらに、梁本体と、下階建物ユニットと、上階建物ユニットとは、各建物ユニットの柱近傍、柱省略コーナ部近傍の接合部で互いに接合されるので、補強梁の梁本体の両端部、および中央部での接合となり、バランスのとれた位置での接合が可能となる。
【００１８】
本発明の請求項７のユニット式建物１は、図３に示すように、請求項６に記載のユニット式建物において、前記上階建物ユニット４は断面コ字型の床梁１２を備え、この床梁１２の開口部には補強材２７が設けられていることを特徴とするものである。
【００１９】
この発明によれば、下階建物ユニットの補強梁が設けられた天井梁の上方に位置する上階建物ユニットの床梁に補強材が設けられているので、この補強材で上階建物ユニットの床梁を補強できる。その結果、間に補強材を挟んで上階建物ユニットと下階建物ユニットとを接合したとき、補強材を設けた床梁および下階建物ユニットの天井梁を含む全体の強度が大きくなり、これにより、互いに柱省略コーナ部を有して並設される下階建物ユニットの梁をより強固に補強できる。
【００２０】
本発明の請求項８のユニット式建物は、図９に示すように、請求項６または請求項７に記載のユニット式建物において、前記下階部３の柱省略コーナ部Ａには各下階建物ユニット２，２毎の天井梁１１先端に上下に延びる接合片７が設けられ、前記補強梁４０の中央部には前記接合片７に重合する中央補強片４２が設けられ、この中央補強片４２と接合片７とが互いに接合していることを特徴とするものである。
【００２１】
この発明によれば、下階部の柱省略コーナ部において、各下階建物ユニット毎の天井梁先端に設けられた接合片に、補強梁の中央部に設けられた中央補強片が重合するようになっているので、補強梁と下階建物ユニットとが強固に結合され、これにより、互いに柱省略コーナ部を有して並設される下階建物ユニットの梁をより強固に補強できる。
【発明を実施するための最良の形態】
【００２２】
以下、本発明の実施形態を図面に基づいて説明する。
図１には、第１実施形態の補強梁２０を使用したユニット式建物１が示されている。
このユニット式建物１は、基礎の上に、例えば４個の下階建物ユニット２を突き合わせて配置された下階部３と、この下階部３の上に配置されるとともに例えば４個の上階建物ユニット４を有する上階部５と、この上階部５の上方に配置される図示しない屋根部とを備えて構成されている。
【００２３】
上階建物ユニット４は、図２に示すように、四隅に立設される４本の柱１０と、これらの柱１０の上端間同士を結合する４本の天井梁１１と、各柱１０の下端間同士を結合する４本の床梁１２とを含む骨組み１３を有し、略直方体状に形成されている。そして、天井梁１１は各２本の長辺天井梁１１Ａおよび短辺天井梁１１Ｂで構成され、床梁１２は各２本の長辺床梁１２Ａおよび短辺床梁１２Ｂで構成されている。
【００２４】
前記各下階建物ユニット２は、上階建物ユニット４とほぼ同じ構造であるが、下階建物ユニット２のそれぞれには、１本の柱１０が省略されて柱省略コーナ部Ａが形成されている。そして、４個の下階建物ユニット２は、柱省略コーナ部Ａ同士を突き合わせて配置されている。そのため、下階部３には、４個の下階建物ユニット２により柱なしの大空間が形成されるようになっている。
なお、柱省略コーナ部Ａには、図４，５に示すように、輸送時や組み立て時等に下階建物ユニット２が変形しないように、仮柱１０Ａを設けてもよい。また、下階建物ユニット２において、前記上階建物ユニット４と同一部材には同一符号を付して、その詳細な説明は省略または簡略化してある。
【００２５】
以上のような隣合う下階建物ユニット２の上面には補強梁２０が載せられている。この補強梁２０は、柱省略コーナ部Ａに臨む下階建物ユニット２の天井梁１１を補強するために設けられるものである。
補強梁２０は、図３〜図５に詳細を示すように、所定厚さの板部材で形成されるとともに、隣合う下階建物ユニット２と隣合う上階建物ユニット４とに挟持されるようになっており、隣合う下階建物ユニット２における同一方向に延びる平行な短辺天井梁１１Ｂの上面を覆い、かつ、水平方向に延びて形成される板状の梁本体２１を備えている。つまり、この梁本体２１により本実施形態の補強梁２０が構成されている。
【００２６】
梁本体２１は、上述のように、隣合う下階建物ユニット２，２におけるそれぞれの短辺天井梁１１Ｂを覆う幅寸法を有し、かつ、２本の短辺天井梁１１Ｂの全長にわたる長さに形成されている。そして、このような梁本体２１は、その両端および中央部が、隣合う下階建物ユニット２および上階建物ユニット４の柱１０近傍、柱省略コーナ部Ａ近傍の接合部Ｂでそれぞれ結合されている。
【００２７】
すなわち、梁本体２１の長さ方向両端部には、当該梁本体２１の幅寸法よりも幅広部に形成された略矩形の端部連結部２１Ａが設けられ、この端部連結部２１Ａは、隣合う下階建物ユニット２および上階建物ユニット４の柱１０近傍、つまり仕口１４と対向しており、仕口１４に立設された位置決めピン１５が挿通する貫通孔２１Ｃと、連結用ボルトが挿通するボルト孔２１Ｄとがあけられ、ボルト孔２１Ｄに挿通される連結用ボルトにより、端部連結部２１Ａと仕口１４とが結合されるようになっている。
【００２８】
梁本体２１の長さ方向略中央部には、前記端部連結部２１Ａをほぼ２枚並べた大きさに形成された中央連結部２１Ｂが設けられ、この中央連結部２１Ｂは、隣合う下階建物ユニット２の柱省略コーナ部Ａの上端部１６、および上階建物ユニット４の仕口１４と対向している。そして、中央連結部２１Ｂにあけられた貫通孔２１Ｄ、上端部１６にあけられたボルト孔１６Ａ、および仕口１４にあけられたボルト孔１４Ａにボルト１７を挿通させるとともに、そのボルト１７を図略のナットと螺合させて、梁本体２１の中央連結部２１Ｂと下階建物ユニット２および上階建物ユニット４とが結合される。
【００２９】
補強梁２０を挟み込んだ下階建物ユニット２および上階建物ユニット４は、上記端部連結部２１Ａおよび中央連結部２１Ｂの他に、各建物ユニット２，４における柱１０、および柱省略コーナ部Ａ近傍の前記接合部Ｂにおいて互いに接合される。
すなわち、図３〜図５に示すように、梁本体２１において、端部連結部２１Ａおよび中央連結部２１Ｂ側に寄った部位には、それぞれ２個ずつの貫通孔２１Ｅがあけられ、これに対して、下階建物ユニット２の短辺天井梁１１Ｂにはボルト孔１１Ｃがあけられており、上階建物ユニット４の短辺床梁１２Ｂにはボルト孔１２Ｃがあけられている。そして、両ボルト孔１１Ｃ、１２Ｃにより接合部Ｂが構成され、それらのボルト孔１１Ｃ、貫通孔２１Ｅ、ボルト孔１２Ｃにボルト１８を挿通するとともにナット１９と螺合させることにより、隣合う下階建物ユニット２および上階建物ユニット４の端部側で、梁本体２１、つまり補強梁２０と各建物ユニット２，４とが接合されている。
【００３０】
また、隣合う下階建物ユニット２の柱省略コーナ部Ａ近傍において、短辺天井梁１１Ｂの下面同士は連結プレート２３により連結されている。この連結プレート２３は、互いに対向する２本の短辺天井梁２間にわたる幅と、２本の短辺天井梁１１Ｂの長さ方向に延びた所定長さに形成され、長さ方向両端にボルト孔２３Ａが２箇所づつあけられている。そして、連結プレート２３を２本の短辺天井梁２の下面に押し当て、ボルト２４をボルト孔２３Ａに挿通させるとともに、短辺天井梁２のフランジ部裏面に取り付けられた裏ナット２５に螺合させて、２本の短辺天井梁２を連結プレート２３で連結、固定している。
【００３１】
さらに、図３に示すように、柱省略コーナ部Ａの上方の上階建物ユニット４における隣合う短辺床梁１２Ｂ、１２Ｂの開口には、短辺床梁１２Ｂとほぼ同一形状の溝型状の補強材２７が、短辺床梁１２Ｂ、１２Ｂの開口に向き合うように嵌り込んで取り付けられている。これにより、柱省略コーナ部Ａの上方の上階建物ユニット４における隣合う短辺床梁１２Ｂ、１２Ｂの強度が確保されている。
【００３２】
次に、以上のようなユニット式建物１の構築方法を説明する。
まず、基礎の上に、柱省略コーナ部Ａを有する４個の下階建物ユニット２を、柱省略コーナ部Ａ同士を突き合わせて設け、アンカーボルト等で固定する。
次いで、それぞれの下階建物ユニット２における短辺天井梁１１Ｂの柱省略コーナ部Ａの上面に位置を確認しながら補強梁２０を載せ、この補強梁２０を挟み込んで、それぞれの下階建物ユニット２に対応させて上階建物ユニット４を設ける。
【００３３】
上階建物ユニット４を設ける際、仕口１４に設けられたガイドピン１５に、端部連結部２１Ａの孔２１Ｃを挿通させて位置決めを行うとともに、上階建物ユニット４のボルト孔、補強梁２０の端部連結部２１Ａと中央連結部２１Ｂにあけられた連結用ボルト孔２１Ｄ、および下階建物ユニット２の短辺天井梁１１Ｂにあけられたボルト孔１４Ａにボルトを挿通させて、そのボルトとナットとを螺合させる。
また、下階建物ユニット２の短辺天井梁１１Ｂのボルト孔１１Ｃ、梁本体２１の貫通孔２１Ｅ、および上階建物ユニット４の短辺床梁１２Ｂのボルト孔１２Ｃに、ボルト１８を挿通するとともにナット１９と螺合させ、これらの作業により、補強梁２０を挟み込んで上階建物ユニット４と下階建物ユニット２とを連結する。
その後、上階部５の上階建物ユニット４の上方に屋根ユニット等を設けて屋根部を構成し、ユニット式建物１を完成させる。
【００３４】
このような本実施形態によれば、次のような効果が得られる。
（１）隣合う下階建物ユニット２，２の天井梁１１の上面に梁本体２１を備えた補強梁２０が設けられているので、互いに柱省略コーナ部Ａを有して並設される下階建物ユニット２の天井梁１１を補強でき、柱なしの大空間の居室を構成することができる。
【００３５】
（２）補強梁２０の梁本体２１は板状となっているので、補強梁２０を下階建物ユニット２の上面に設けた後、その上に上階建物ユニット４を設置する際、上階建物ユニット４の例えば床梁や柱が補強梁に干渉するおそれがなくなる。その結果、上階建物ユニット４を容易に設置できて施工時間の短縮を図ることができる。
【００３６】
（３）補強梁２０の梁本体２１は、端部連結部２１Ａおよび中央連結部２１Ｂで隣合う下階建物ユニット２，２および上階建物ユニット４，４と連結されるとともに、下階建物ユニット２，２および上階建物ユニット４，４の柱１０近傍と柱省略コーナ部Ａ近傍とに形成された接合部Ｂで、それぞれ下階建物ユニット２，２及び上階建物ユニット４，４に接合されるので、補強梁２０を、強固に、かつバランスよく取り付けることができる。
【００３７】
（４）柱省略コーナ部Ａを含んだ隣合う４個の下階建物ユニット２における短辺天井梁１１Ｂの下面同士はその上面が補強梁２０で連結されるとともに、下面が連結プレート２３で連結されるので、隣合う下階建物ユニット２の短辺天井梁１１Ｂ同士がより強固に補強される。その結果、柱省略部Ａを設けても短辺天井梁１１Ｂの強度が大きいので、容易に大空間を構成できる。
【００３８】
次に、図６〜図８に基づいて、本発明の補強梁の第２実施形態を説明する。
本実施形態の補強梁３０は、梁本体３１の下部に下部補強部３２を設けたものである。なお、この実施形態および以下の各実施形態において、前記第１実施形態と同じ使用部材および構造には、同一符号を付すとともに、その詳細な説明は省略または簡略化する。
【００３９】
補強梁３０は、前記第１実施形態の梁本体２１とほぼ同じ形状の梁本体３１を備えており、この梁本体３１の下面に、隣合う下階建物ユニット２の短辺天井梁１１Ｂ間に挟まれ、かつ、延在する前記下部補強部であるラチス梁３２が梁本体３１と一体に設けられている。ラチス梁３２は、例えば丸パイプを、梁本体３１の全長にわたって波状に折り曲げして形成されている。
なお、ラチス梁３２としては、丸パイプに代えて丸棒を使用してもよい。
【００４０】
ラチス梁３２の下部には、板状に形成された下部補強片部３３が溶接によりラチス梁３２と一体的に設けられている。この下部補強片部３３は、隣合う下階建物ユニット２の対向する短辺天井梁１１Ｂの側面間に収まる寸法の幅に形成されるとともに、長手方向には、所定間隔でボルト孔があけられ、かつ、そのボルト孔に対応して裏ナット３６が取り付けられている。
【００４１】
また、隣合う下階建物ユニット２の下方には、対向する短辺天井梁１１Ｂの下面間にわたる幅寸法の下部連結プレート３４が設けられている。この下部連結プレート３４はには所定間隔でボルト孔３４Ａがあけられ、これらのボルト孔３４Ａは、前記下部補強片部３３に取り付けられた前記裏ナット３６と対応し、ボルト孔３４Ａに締結具であるボルト３５を挿通させ、締結具である上記裏ナット３６と螺合させることで、下部連結プレート３４と補強梁３０の梁本体３１とにより、隣合う下階建物ユニット２の短辺天井梁１１Ｂを挟み込んで連結、固定している。
【００４２】
このような補強梁３０は、前述のように、隣合う下階建物ユニット２と上階建物ユニット４とに挟まれ、下階建物ユニット２および上階建物ユニット４の接合部Ｂでボルト結合される。
【００４３】
このような本第２実施形態によれば、前記第１実施形態の（１）〜（４）と同様の効果の他、次のような効果が得られる。
（５）補強梁３０の下面に下部補強部３３が設けられているので、補強梁３０の強度が大きくなり、その強度の大きな補強梁３０で隣合う下階建物ユニット２，２同士が補強されるので、結果的に、互いに柱省略コーナ部Ａを有して並設される下階建物ユニット２の梁をより強固に補強できる。
【００４４】
（６）補強梁３０の下部補強部３３には下部補強片部３４が設けられ、この下部補強片部３４と梁本体３１との間で、隣合う下階建物ユニット２のそれぞれの短辺天井梁１１Ｂが上下で挟持されるので、補強梁３０と隣合う下階建物ユニット２の１１Ｂとが一体的に結合される結果、互いに柱省略コーナ部Ａを有して並設される下階建物ユニット２，２の天井梁１１をより強固に補強できる。
【００４５】
次に、図９，１０に基づいて本発明の第３実施形態を説明する。
本実施形態は、補強梁４０を、各下階建物ユニット２の柱省略コーナ部Ａに設けられた中央補強片に嵌め込める形状としたものである。
【００４６】
すなわち、本実施形態では、各下階建物ユニット２の柱省略コーナ部Ａにおいて、長辺天井梁１１Ａと短辺天井梁１１Ｂとの交差部に、互いの長辺天井梁１１Ａと短辺天井梁１１Ｂとが連結する断面Ｌ字状の接合片７が設けられている。この接合片７は、上記交差部に長辺天井梁１１Ａと短辺天井梁１１Ｂの端部を塞いで上下に延び、その側面には、複数のボルト孔７Ａがあけられている。従って、４個の下階建物ユニット２が柱省略コーナ部Ａを突き合わせて設けられたとき、その柱省略コーナ部Ａには、４つの接合片７で囲まれたほぼ正方形の空間が形成されていることになる。
【００４７】
これに対して、補強梁４０は、梁本体４１とその裏面に設けられた前記中央補強片である箱部材４２とを含み構成されている。梁本体４１は、前記第１実施形態の梁本体２１とほぼ同じ形状に形成されている。箱部材４２は四角筒状に形成され、内部に十文字状の補強リブ４３が設けられている。また、箱部材４２の４つの側面にはそれぞれ複数のボルト孔４２Ａがあけられている。そして、この箱部材４２は、前記下階建物ユニット２における柱省略コーナ部Ａの４つの接合片７内に挿入、重合され、ボルト４４、ナット４５の螺合により互いが連結されるようになっている。
【００４８】
なお、図９では、補強梁４０の直上にボルト１８が置かれているが、補強梁４０の上方には、図示しないが、前記各実施形態と同じように上階建物ユニットが配置され、補強梁４０は、上階建物ユニットと下階建物ユニット２とに挟まれて、上記ボルト１８により固定されるようになっている。
【００４９】
このような本第３実施形態によれば、前記第１実施形態の（１）〜（４）と同様の効果の他、次のような効果が得られる。
（７）下階部３の柱省略コーナ部Ａにおいて、各下階建物ユニット２毎の天井梁１１先端に設けられた接合片７に、補強梁４０の中央部に設けられた中央補強片４２が重合するようになっているので、補強梁４０と下階建物ユニット２とが強固に結合され、これにより、互いに柱省略コーナ部Ａを有して並設される下階建物ユニット２の天井梁１１をより強固に補強できる。
【００５０】
次に、図１１に基づいて本発明の第４実施形態を説明する。
本実施形態のユニット式建物１Ａは、下階建物ユニット２及び上階建物ユニット４が、それぞれ２個づつが互いの長辺天井梁１１Ａ、長辺床梁同士が平行となるように並んで配置され、かつ、それぞれ１個の下階建物ユニット２Ａ及び上階建物ユニット４Ａが、互いの長辺天井梁１１Ａ、長辺床梁が上記２個の下階建物ユニット２及び上階建物ユニット４の短辺天井梁１１Ｂ、短辺床梁に対向するように配置され、これらの３個の下階建物ユニット２，２，２Ａの柱省略コーナ部Ａを突き合わせて構成されているものである。
【００５１】
そして、柱省略コーナ部Ａを含む２個の下階建物ユニット２の短辺天井梁１１Ｂおよび１個の下階建物ユニット２Ａの長辺天井梁１１Ａに跨るとともに、それぞれの梁１１Ｂ、１１Ａの延出方向に沿って、補強梁５０が配置されている。
この補強梁５０は、梁本体５１の中央連結部５１Ｂが２個の下階建物ユニット２側にのみ延出しているが、前記第１実施形態の補強梁２０とほぼ同様の形状となっている。そして、補強梁５０の取り付けも、前記第１実施形態の補強梁２０とほぼ同様に行うようになっている。下階部３の下階建物ユニット２，２，２Ａの上方には、当該下階建物ユニット２，２，２Ａと同じ配列で、３個の上階建物ユニット４，４，４Ａが載せられてユニット式建物１Ａが建てられている。
【００５２】
このような本第４実施形態によれば、前記第１実施形態の（１）〜（４）と同様の効果の他、次のような効果が得られる。
【００５３】
（８）長辺梁１１Ａが同じ向きの２個の下階建物ユニット２，２と、これらの下階建物ユニット２，２と長辺梁１１Ａが異なる向きの１個の下階建物ユニット２Ａとで大空間を有するユニット式建物１Ａが構成される。そのため、建設敷地の形状が、例えば長辺梁が同じ向きの下階建物ユニットを２個ずつ並設して建てることができないような場合でも、大空間を有する建物を敷地に対応させることができ、そのような建物でも、補強梁５０で３個の下階建物ユニット２，２，２Ａの天井梁１１を補強することができるとともに、それらの下階建物ユニット２，２，２Ａの上面に上階建物ユニット４，４，４Ａを容易に設置できて施工時間の短縮を図ることができる。
【００５４】
なお、本発明は前述の各実施形態に限定されるものではなく、本発明の目的を達成できる範囲での変形、改良等は本発明に含まれるものである。
例えば、前記第１実施形態では、補強梁２０の梁本体２１が、その中央部と両端部とのそれぞれに、下階建物ユニット２、上階建物ユニット４の仕口１４に対応する端部連結部２１Ａ、中央連結部２１Ｂを設けた形状となっているが、補強梁の形状はこれに限らない。図１２に示すように、平面十文字状の補強梁６０としてもよい。
【００５５】
この補強梁６０は、梁本体６１を有するとともに、その中央部に前記中央連結部２１Ｂが設けられ、この中央連結部２１Ｂには、梁本体６１と直交する方向に所定寸法突出した水平延出部６１Ｃが形成されている。そして、この水平延出部６１Ｃは、隣り合う下階建物ユニット２の長辺天井梁１１Ａの上面に設けられ、水平延出部６１Ｃにあけられたボルト孔６１Ｄ、長辺天井梁１１Ａにあけられたボルト孔１１Ｄ、上階建物ユニット４の長辺床梁１２Ａにあけられたボルト孔１２Ｄに、ボルト１８を挿通させるとともにナットと螺合させ、補強梁６０の水平延出部６１Ｃと隣り合う下階建物ユニット２の長辺天井梁１１Ａ、および上階建物ユニット４の長辺床梁１２Ａとを連結、固定できるようになっている。なお、梁本体６１の下部に、前記第２実施形態のように、ラチス梁を設けてもよい。
そして、この実施形態によれば、水平延出部６１Ｃでも下階建物ユニット２の長辺天井梁１１Ａと連結、固定できるので、柱省略コーナ部Ａの短辺天井梁１１Ｂをより強固に補強することができる。
【００５６】
また、前記第２実施形態では、補強梁３０が板状の梁本体３１とラチス梁３２とで形成されているが、補強梁の形状はこれに限らない。例えば図１３に示すように、板状の梁本体７１と、ラチス梁３２に代えて板状の下部補強部７２とを備えた補強梁７０としてもよい。このようにすれば、ラチス梁３２を備えた補強梁３０に比べて、補強梁７０の製作が容易である。
【００５７】
さらに、前記第４実施形態で使用された補強梁５０は、第１実施形態と同様に板状の梁本体５１を備えたものであったが、この補強梁５０の梁本体５１の下面に、ラチス梁、あるいは変形形態に示した板状の下部補強部７２と同様の下部補強部を設けてもよい。
【００５８】
また、前記各実施形態では、上階建物ユニット４において、下階建物ユニット２の柱省略コーナ部Ａの上方の長辺床梁１２Ｂには補強材２７が設けられているが、この補強材２７は必ずしも設けなくてもよい。
【産業上の利用可能性】
【００５９】
本発明は、柱、梁で構成された骨組みを有するとともに、予め工場で生産された複数の建物ユニットを現場で組み合わせて建てられるユニット式建物に利用することができる。
【図面の簡単な説明】
【００６０】
【図１】本発明に係る第１実施形態の補強梁が用いられたユニット式建物の一部を示す分解斜視図である。
【図２】前記実施形態のユニット式建物を構成する建物ユニットの骨組みを示す斜視図である。
【図３】前記実施形態の要部を示す分解斜視図である。
【図４】前記実施形態の要部を示す縦断面図である。
【図５】図４におけるＶ−Ｖ線に沿った断面図である。
【図６】本発明に係る第２実施形態の補強梁が用いられたユニット式建物の一部を示す分解斜視図である。
【図７】前記実施形態の要部を示す縦断面図である。
【図８】図７におけるVIII−VIII線に沿った断面図である。
【図９】本発明に係る第２実施形態の補強梁が用いられたユニット式建物の一部を示す分解斜視図である。
【図１０】前記実施形態の接合片と中央補強片との重合状態を図９の下方から見た図である。
【図１１】本発明の第４実施形態の補強梁が用いられたユニット式建物を示す斜視図である。
【図１２】本発明の変形形態の補強梁が用いられたユニット式建物を示す斜視図である。
【図１３】本発明の他の変形形態に係る補強梁を示す縦断面図である。
【符号の説明】
【００６１】
１…ユニット式建物
２…下階建物ユニット
３…下階部
４…上階建物ユニット
５…上階部
１０…柱
１１…天井梁
１１Ａ…長辺天井梁
１１Ｂ…短辺天井梁
１２…床梁
１２Ａ…長辺床梁
１２Ｂ…短辺床梁
１３…骨組み
２０，３０，４０，５０，６０…補強梁
３２…下部補強部であるラチス梁
３３…下部補強片
２１，３１，４１，５１，６１…梁本体
Ａ…柱省略部
Ｂ…接合部
【図１】
2005139623.tif 000003
【図２】
2005139623.tif 000004
【図３】
2005139623.tif 000005
【図４】
2005139623.tif 000006
【図５】
2005139623.tif 000007
【図６】
2005139623.tif 000008
【図７】
2005139623.tif 000009
【図８】
2005139623.tif 000010
【図９】
2005139623.tif 000011
【図１０】
2005139623.tif 000012
【図１１】
2005139623.tif 000013
【図１２】
2005139623.tif 000014
【図１３】
2005139623.tif 000015